(57)【要約】【課題】  装着する操作つまみの外形を小さくできる照光ユニットを備えた照光付回転型電気部品を提供する。【解決手段】  操作部６の回転により操作される回転検出ユニットＫと、回転検出ユニットＫに装着される照光ユニットＳとを備え、照光ユニットＳは、一対の固定接点８が設けられたハウジング７と、固定接点８と摺接する一対の可動接点１１を有しハウジング７に対して回転可能に保持された回転体１０と、可動接点１１に一対の端子１３ｃが導通される照光部材１３が保持され回転体１０に取り付けられたホルダ部１０ｂ、１０ｃ、１０ｄを有し、照光部材１３が回転体１０と共に回転するように構成されており、回転体１０には、照光部材１３を保持するホルダ部１０ｂ、１０ｃ、１０ｄを回転体１０と同一材料で一体に形成した。【選択図】        図５
2006310156.tif 000002
【特許請求の範囲】
【請求項１】
操作部の回転により操作される回転検出ユニットと、この回転検出ユニットに装着される照光ユニットとを備え、前記照光ユニットは、一対の固定接点が設けられたハウジングと、前記固定接点と摺接する一対の可動接点を有し前記ハウジングに対して回転可能に保持された回転体と、前記可動接点に一対の端子が導通される照光部材が保持され前記回転体に設けられたホルダ部を有し、前記照光部材が前記回転体と共に回転するように構成されており、前記回転体には、前記照光部材を保持する前記ホルダ部を前記回転体と同一材料で一体に形成したことを特徴とする照光付回転型電気部品。
【請求項２】
前記ホルダ部は、前記照光部材の端子が挿通される孔を有し前記回転体の上面側に突出した台座部と、この台座部上に設けられた素子保持部からなり、この素子保持部を前記回転体の周方向に前記孔を挟んで対向して設けると共に、周方向と直交する両面側を開口状としたことを特徴とする請求項１記載の照光付回転型電気部品。
【請求項３】
前記照光部材は、基部と、この基部より細形の発光部を有する発光ダイオードからなり、前記ホルダ部の前記素子保持部で前記発光ダイオードの前記基部を保持したことを特徴とする請求項２記載の照光付回転型電気部品。
【請求項４】
前記ホルダ部の前記台座部の下面側に前記可動接点を配設し、前記照光部材の前記端子を前記孔に挿通して屈曲することなく垂下させると共に、前記可動接点と導通させたことを特徴とする請求項２、又は３記載の照光付回転型電気部品。
【請求項５】
前記固定接点は、前記ハウジングに一体に埋設された円弧状の金属板からなり、前記可動接点はバネ性を有する薄板金属板で形成され、前記ホルダ部の下面側で前記端子と半田付けされることにより前記可動接点を前記回転体に直接保持したことを特徴とする請求項１乃至４の何れかに記載の照光付回転型電気部品。
【発明の詳細な説明】
【技術分野】
【０００１】
本発明は、各種電子機器等の照光表示機能付き入力装置として使用される照光付回転型電気部品に関する。
【背景技術】
【０００２】
従来の照光付回転型電気部品としては、操作部の回転により操作されるエンコーダからなる回転検出ユニットと、この回転検出ユニットの操作部側に装着（積層）され、ＬＥＤ等からなる光源を有する回転体を備えた照光ユニットとから構成されたものが知られている（例えば、特許文献１参照）。
【０００３】
この従来の照光付回転型電気部品の構造を図８、図９に示す。図８は従来の照光付回転型電気部品を示す斜視図、図９は照光ユニットの分解斜視図である。
図において、回転検出ユニットＫは、合成樹脂の成型品からなり軸を構成する円筒の筒状部３２ａを有する下ケース３２と、合成樹脂の成型品からなり中央の孔に筒状部３２ａが挿通された状態で結合された上ケース３３とで構成されており、内部にエンコーダ部（図示せず）を有している。
【０００４】
エンコーダ部は、上下ケース３３、３２内に配設されたバネ性のある金属板からなる図示しない固定接点と、同じく上下ケース３３、３２内に回転可能に配設された絶縁材からなる図示しない回転板の一面に設けられ、固定接点と摺接する図示しないコードパターンとから構成されている。
【０００５】
合成樹脂の成型品からなる円筒状の操作部３６は、下端部に設けられた図示しない係合爪部と、上端部に設けられた取付爪部３６ｂとを有し、この操作部３６は、その中心部に筒状部３２ａが挿入され、係合爪部が回転板にスナップ止めされて取り付けられている。そして、操作部３６は、筒状部３２ａを軸として回転可能となると共に、操作部３６が回転した時、回転板が回転して、コードパターンと固定接点との間で回転検出（電気的な信号の出力）が行われ、このような構成によって、エンコーダからなる回転検出ユニットＫが形成されている。
【０００６】
照光ユニットＳは、合成樹脂の成型品からなるリング状のハウジング３７と、絶縁材からなる支持体３９と、合成樹脂の成型品からなるリング状の回転体４０と、合成樹脂の成型品からなるホルダ４２と、金属板からな取付部材４４とから構成されている。
【０００７】
ハウジング３７は、中心部に挿通孔３７ａを有し、基体３７ｂと、基体３７ｂの外側部に設けられた凹部３７ｃと、基体３７ｂの上面に設けられた凹部からなる収納部３７ｅとを有する。また、ハウジング３７の収納部３７ｅ内には、バネ性のある金属材からなる摺動片３８ａと引出端子３８ｂを有する固定接点３８が固着された支持体３９が取り付けられている。
【０００８】
リング状の回転体４０は、上面の全外周部に設けられた段差部４０ａと、厚肉部の上面から上方に突出して設けられた抱持部４０ｂと、抱持部４０ｂの中央部に設けられた凹部からなる圧入部４０ｃと、この圧入部４０ｃの底部に設けられた一対の孔（図示せず）とを有する。また、回転体４０の下面には互いに並設された金属板等の導電体からなる円弧状の一対の可動接点（図示せず）が設けられている。そして、回転体４０はハウジング３７の溝内に収納され、一対の可動接点が固定接点３８の摺動片３８ａに接触すると共に、ハウジング３７に対して回転可能になっている。
【０００９】
ホルダ４２は、外形が圧入部４０ｃと同形で、中央に凹部からなる挟持部４２ａを有し、圧入部４０ｃに圧入されて、抱持部４０ｂに取り付けられている。また、ホルダ４２には、ＬＥＤ等からなる光源４３が挟持部４２ａで挟持されて取り付けられ、端子４３ｂの先端が圧入部４０ｃの底部に設けられた一対の孔（図示せず）に挿通され可動接点に半田付けされて導通されている。
【００１０】
取付部材４４は、リング状の押さえ部４４ａと、複数個の第１の取付脚４４ｂと、第２の取付脚４４ｃを有し、押さえ部４４ａが回転体４０の段差部４０ａ上に載置され、第１の取付脚４４ｂの先端部をハウジング３７の下面側に折り曲げることにより、回転体４０とハウジング３７とが一体化されて、照光ユニットＳが形成される。
【００１１】
照光ユニットＳは、回転体４０がハウジング３７と取付部材４４との間に挟まれた状態で、回転可能になると共に、回転体４０の回転に伴って、ホルダ４２と光源４３も回転するようになっている。また、照光ユニットＳは、挿通孔３７ａに操作部３６が挿通され、ハウジング３７が上ケース３３上に載置されて、ケース上に積層されて配置されている。
【００１２】
【特許文献１】特開２００４−２６５８２５号公報
【発明の開示】
【発明が解決しようとする課題】
【００１３】
しかしながら、従来の照光付回転型電気部品の構造においては、照光ユニットの回転体に取り付けられる、ＬＥＤ等からなる光源を取り付けるホルダを別部品として備えているため、回転体にホルダを取る付けるための圧入部や抱持部を設ける必要があり、取り付け部を含めた外形が大きくなっていた。このため、操作部に装着される操作つまみの外形も大きくなってしまうという問題があった。
【００１４】
従って、本発明は上記した問題点を解決し、装着する操作つまみの外形を小さくできる照光ユニットを備えた照光付回転型電気部品を提供することを目的とする。
【課題を解決するための手段】
【００１５】
上記課題を解決するために本発明では第１の解決手段として、操作部の回転により操作される回転検出ユニットと、この回転検出ユニットに装着される照光ユニットとを備え、前記照光ユニットは、一対の固定接点が設けられたハウジングと、前記固定接点と摺接する一対の可動接点を有し前記ハウジングに対して回転可能に保持された回転体と、前記可動接点に一対の端子が導通される照光部材が保持され前記回転体に設けられたホルダ部を有し、前記照光部材が前記回転体と共に回転するように構成されており、前記回転体には、前記照光部材を保持する前記ホルダ部を前記回転体と同一材料で一体に形成した構成とした。
【００１６】
また、第２の解決手段として、前記ホルダ部は、前記照光部材の端子が挿通される孔を有し前記回転体の上面側に突出した台座部と、この台座部上に設けられた素子保持部からなり、この素子保持部を前記回転体の周方向に前記孔を挟んで対向して設けると共に、周方向と直交する両面側を開口状とした構成とした。
また、第３の解決手段として、前記照光部材は、基部と、この基部より細形の発光部を有する発光ダイオードからなり、前記ホルダ部の前記素子保持部で前記発光ダイオードの前記基部を保持した構成とした。
【００１７】
また、第４の解決手段として、前記ホルダ部の前記台座部の下面側に前記可動接点を配設し、前記照光部材の前記端子を前記孔に挿通して屈曲することなく垂下させると共に、前記可動接点と導通させた構成とした。
また、第５の解決手段として、前記固定接点は、前記ハウジングに一体に埋設された円弧状の金属板からなり、前記可動接点はバネ性を有する薄板金属板で形成され、前記ホルダ部の下面側で前記端子と半田付けされることにより前記可動接点を前記回転体に直接保持した構成とした。
【発明の効果】
【００１８】
上述したように、本発明の照光付回転型電気部品は、操作部の回転により操作される回転検出ユニットと、回転検出ユニットに装着される照光ユニットとを備え、照光ユニットは、一対の固定接点が設けられたハウジングと、固定接点と摺接する一対の可動接点を有しハウジングに対して回転可能に保持された回転体と、可動接点に一対の端子が導通される照光部材が保持され回転体に設けられたホルダ部を有し、照光部材が回転体と共に回転するように構成されており、回転体には、照光部材を保持するホルダ部を回転体と同一材料で一体に形成したことから、回転体にホルダを取る付けるための圧入部や抱持部を設ける必要がないので、取り付け部を含めた外形を小型化できる。また、部品点数の削減、コストの低減を図ることができる。
【００１９】
また、ホルダ部は、照光部材の端子が挿通される孔を有し回転体の上面側に突出した台座部と、台座部上に設けられた素子保持部からなり、素子保持部を回転体の周方向に孔を挟んで対向して設けると共に、周方向と直交する両面側を開口状としたことから、回転体の周方向において照光部材を保持するようにしたので、周方向と直交する両面側には保持部を設ける必要がなく、その分、さらに小型化が可能となる。
また、照光部材は、基部と、基部より細形の発光部を有する発光ダイオードからなり、ホルダ部の素子保持部で発光ダイオードの基部を保持したことから、発光ダイオードの光がホルダ部によって遮られることがなく、多くの光を照射でき、照光効率アップが図れる。
【００２０】
また、ホルダ部の台座部の下面側に可動接点を配設し、照光部材の端子を孔に挿通して屈曲することなく垂下させると共に、可動接点と導通させたことから、照光部材の端子の曲げ加工が不要となり、組立て性が向上すると共に、コストの低減が図れる。
また、固定接点は、ハウジングに一体に埋設された円弧状の金属板からなり、可動接点はバネ性を有する薄板金属板で形成され、ホルダ部の下面側で端子と半田付けされることにより可動接点を回転体に直接保持したことから、可動接点を直接、回転体に保持するので、従来のような可動接点を支持する支持体が不要となり、部品点数の削減が図れる。
【発明を実施するための最良の形態】
【００２１】
以下、本発明の実施の形態を図１乃至図７に示す。図１は操作部材を取り付けた状態における本発明の照光付回転型電気部品の斜視図、図２は本発明の照光付回転型電気部品に係り、照光部材の取付状態を示す断面図、図３は本発明の照光付回転型電気部品に係り、操作部材の取付状態を示す断面図、図４は本発明の照光付回転型電気部品に係り、操作部材を取り去った状態の斜視図、図５は本発明の照光付回転型電気部品に係り、照光ユニットの分解斜視図、図６は本発明の照光付回転型電気部品に係り、照光ユニットを上方から見た斜視図、図７は本発明の照光付回転型電気部品に係り、ハウジングと取付部材を取り去った状態で、照光ユニットを下方から見た斜視図である。
【００２２】
次に、本発明の照光付回転型電気部品の構成を図１〜図７に基づいて説明すると、ケース１は、合成樹脂の成型品からなる下ケース２と、合成樹脂の成型品からなる上ケース３とで構成されている。
【００２３】
下ケース２は、軸を構成する円筒の筒状部２ａと、この筒状部２ａの下端部から外方に延びるリング状の底壁２ｂと、この底壁２ｂの外周部から上方に延びる筒状の側壁２ｃとを有し、また、上ケース３は、中央部に孔３ａを有するリング状の上壁３ｂと、この上壁３ｂの外周部から下方に延びる筒状の側壁３ｃと、上壁３ｂの上面から上方に突出するリング状の凸部３ｄを有する。
【００２４】
そして、上ケース３の中央部の孔３ａには、筒状部２ａが挿通された状態で、側壁２ｃ、３ｃの先端同士が当接され、ここでは図示しないが、下ケース２と上ケース３とは、金属からなる取付板によって両者が結合されて、ケース１が形成されている。
【００２５】
バネ性のある金属板からなる固定接点４は、バネ性のある接点部４ａと、この接点部４ａに接続された引出端子４ｂを有し、この固定接点４は、ケース１内に接点部４ａが位置すると共に、引出端子４ｂをケース１外に突出した状態で、ケース１に取り付けられている。なお、接点部４ａは、電気的に独立して３本設けられている。
【００２６】
絶縁材からなる回転板５は、一面に導電パターンからなるコードパターン（図示せず）が形成されており、この回転板５は、ケース１内に回転可能に収納され、コードパターンに接点部４ａが摺接するようになっている。
【００２７】
合成樹脂の成型品からなる円筒状の操作部６は、下端部に設けられた係合爪部６ａと、上端部に設けられた取付爪部６ｂと、中間部から外方に突出する突起６ｃを有する。この操作部６は、その中心部に筒状部２ａが挿入され、突起６ｃが凸部３ｄ上に位置した状態で、係合爪部６ａが回転板５にスナップ止めされて取り付けられている。
【００２８】
そして、操作部６は、筒状部２ａを軸として回転可能となると共に、操作部６が回転した時、回転板５が回転して、コードパターンと固定接点４との間で回転検出（電気的な信号の出力）が行われ、このような構成によって、エンコーダからなる回転検出ユニットＫが形成されている。
【００２９】
なお、上記実施例では、コードパターンを設けた回転板５を可動側として説明したが、これを固定側とすると共に、固定接点４を可動側としても良い。また、回転検出ユニットＫは、可変抵抗器等のエンコーダ以外の電気部品を使用しても良い。すなわち、導電パターンと接点部とが相対的に摺動する検出手段からなるものが使用されるが、この検出手段は、磁気式等の非接触タイプのものであってもよく、その形態は限定されるものではない。
【００３０】
合成樹脂の成型品からなるリング状のハウジング７は、中心部に挿通孔７ａを有し、断面がＵ字状で平面視リング状に形成された基体７ｂと、この基体７ｂの外側部に間隔をおいて設けられた複数個の凹部７ｃと、基体７ｂの溝内に設けられた一対のストッパー部７ｄと、基体７ｂの上面に設けられた凹部からなる収納部７ｅとを有する。
【００３１】
また、収納部７ｅの内底部には、金属板等の導電体からなる円弧状の一対の固定接点８が互いに並設された状態で設けられ、一対の固定接点８のそれぞれの一端は、ハウジング７の側面から外方に導出され下方に屈曲されて一対の引出端子９が設けられている。
【００３２】
合成樹脂の成型品からなるリング状の回転体１０は、上面の全外周部に設けられた段差部１０ａと、厚肉部の上面から上方に突出して設けられた台座部１０ｂと、この台座部１０ｂ上に設けられた素子保持部１０ｃと、この素子保持部１０ｃの底部に設けられた一対の孔１０ｄ（図７参照）と、孔１０ｄの両側で、下面側に設けられた一対のストッパー部１０ｅを有する。
【００３３】
また、一対のストッパー部１０ｅ間には、バネ性のある金属材からなる一対の可動接点１１が、回転体１０の下面側に設けられた小突起をつぶしてかしめることにより取り付けられている。この可動接点１１の一端側にはバネ性を有する接片部１１ａが設けられており、また、可動接点１１の他端側は孔１０ｄまで延びて形成されている。
【００３４】
また、前記回転体１０の上面側に突出した台座部１０ｂは、周方向に延びて形成され、素子保持部１０ｃは、台座部１０ｂ上に一対の孔１０ｄを挟んで対向する円弧状の突起部からなり、周方向と直交する両面側が開口状となっている。これら台座部１０ｂと素子保持部１０ｃと孔１０ｄで後述する照光部材１３を保持するホルダ部を構成しており、このホルダ部は回転体１０と同じ合成樹脂材で回転体１０と一体に形成（成形）されている。このため、周方向と直交する両面側を開口状に形成することが可能となっている。
【００３５】
そして、可動接点１１を設けた回転体１０は、可動接点１１側を下方にして、ハウジング７の収納部７ｅ内に収納され、一対の可動接点１１は、接片部１１ａが一対の固定接点８に接触すると共に、回転体１０は、ハウジング７に対して回転可能となり、この回転動作は、ストッパー部１０ｅがストッパー部７ｄに係合するまで行われるようになっている。
【００３６】
照光部材１３は、円形状の一部が削除され略円形状（Ｄ字状）をした太形の基部１３ａと、この基部１３ａより細形の柱状をした発光部１３ｂと、基部１３ａから導出された一対の端子１３ｃを有する発光ダイオード（ＬＥＤ）からなっている。この照光部材１３は、回転体１０の円弧状をした素子保持部１０ｃに略円形状の基部１３ａが面接触状態で挟持されて取り付けられると共に、端子１３ｃは、孔１０ｄに挿通され、先端部が可動接点１１の他端部に半田付けされて、電気的に導通した状態となっている。従って、照光部材１３は、端子１３ｃから可動接点１１、固定接点８、及び引出端子９を介して外部に導出されるようになっている。尚、図７は、端子１３ｃの先端部が可動接点１１の他端部に半田付けされる前の状態を示している。
【００３７】
このように、回転体１０の素子保持部１０ｃで発光ダイオードの基部１３ａを保持するようにしたので、発光ダイオードの光がホルダ部によって遮られることがなく、多くの光を照射でき、照光効率アップが図れるものとなる。
【００３８】
また、この時、回転体１０の台座部１０ｂの下面側には、可動接点１１が配設されており、照光部材１３の端子１３ｃを孔１０ｄに挿通して屈曲することなく垂下させることで、可動接点１１の他端と導通させることができるので、照光部材１３の端子１３ｃの曲げ加工が不要となり、組立て性が向上すると共に、コストの低減が図れるものとなっている。
また、台座部１０ｂの下面側で端子１３ｃと半田付けされることにより、可動接点１１を回転体１０に直接保持できるので、従来のような可動接点を支持する支持体が不要となり、部品点数の削減が図れるものとなる。
【００３９】
金属板からな取付部材１４は、リング状の押さえ部１４ａと、この押さえ部１４ａの外周部から下方に折り曲げられた比較的短い複数個の第１の取付脚１４ｂと、押さえ部１４ａの外周部から下方に折り曲げられた比較的長い複数個の第２の取付脚１４ｃを有する。
【００４０】
この取付部材１４は、押さえ部１４ａが回転体１０の段差部１０ａ上に載置され、第１の取付脚１４ｂを回転体１０とハウジング７の外側部に位置した状態で、第１の取付脚１４ｂの先端部をハウジング７の下面側に折り曲げると、回転体１０とハウジング７とが一体化されて、照光ユニットＳが形成される。
【００４１】
このように構成された照光ユニットＳは、回転体１０がハウジング７と取付部材１４との間に挟まれた状態で、回転可能になると共に、回転体１０の回転に伴って、ホルダ部に保持された発光部材１３も回転するようになっている。
【００４２】
また、このような照光ユニットＳは、挿通孔７ａに操作部６が挿通され、ハウジング７が上ケース３上に載置されて、ケース１上に積層されて配置される。この時、第２の取付脚１４ｃがケース１（ケース３）の係止部３ｅに係止され、引出端子９は、ケース１の外側部を通って下方に突出している。
【００４３】
合成樹脂の成型品からなる操作部材１５は、中央部に孔１５ａを有するリング状の摘み部１５ｂと、この摘み部１５ｂから下方に延びる筒状の脚部１５ｃと、この脚部１５ｃの内側に設けられた係止部１５ｄと、台座部１０ｂに対応する位置で、脚部１５ｃに設けられた筒状の係合部１５ｅとを有する。
【００４４】
この操作部材１５は、筒状の脚部１５ｃ内に操作部６が挿入されて、係止部１５ｄが取付爪部６ｂに係止するようにスナップ止めされると、操作部材１５によって操作部６が回転されるようになる。
【００４５】
また、操作部材１５が取り付けられると、筒状の係合部１５ｅは、ホルダ部を構成する台座部１０ｂ、素子保持部１０ｃ、及び照光部材１３の発光部１３ｂの外周部を覆うと共に、係合部１５ｅの内面が台座部１０ｂの円周方向の端面と係合し、その結果、操作部材１５の回転によって、係合部１５ｅが台座部１０ｂを引っかけて、回転体１０を回転するものとなっている。
【００４６】
また、操作部材１５は、発光部１３ｂの近傍に位置する側部や上部において、透明、或いは半透明の透光性のある樹脂が設けられて、その箇所から光を目視するようになっているが、その他の部分は、光の漏れを無くするために、黒等の不透光性の樹脂で形成されている。
【００４７】
このような構成を有する照光付回転型電気部品は、ここでは図示しないが、導電パターンを有するプリント基板上に載置されて、引出端子４ｂ、９と、図示しないが、下ケース２と上ケース３とを結合する金属からなる取付板に設けられた脚部がプリント基板に半田付けされて、取り付けと配線が行われている。
【００４８】
次に、このような構成を有する照光付回転型電気部品の動作を説明すると、先ず、操作部材１５を回転する。すると、操作部６を介して回転板５が回転して接点の切り換を行い、これによって、回転検出（電気的な信号の出力）が行われると共に、操作部材１５と共に回転体１０、及び照光部材（ＬＥＤ）１３が回転する。
【００４９】
そして、一対の可動接点１１は、固定接点８に常時接触した状態で回転するため、照光部材（ＬＥＤ）１３は点灯した状態で回転し、その結果、１個の照光部材（ＬＥＤ）１３によって、操作部材１５の回転位置を照光によって表示するようになっている。また、操作部材１５の回転は、ストッパー部１０ｅがストッパー部７ｄに係合するまで行われるようになり、そして、反対方向に回転すると、ストッパーが外れて、操作部材１５の回転が可能となる。
【００５０】
なお、上記した本発明の実施例においては、固定接点８を金属板からなる円弧状のもので、可動接点１１をバネ性を有する接片部１１ａを有するもので照光ユニットＳを構成したが、本発明はこれに限らず、固定接点側をバネ性を有する接片部を有するもので形成し、可動接点側を円弧状をなした一対の金属板で形成するようにしても良い。
【００５１】
上記した本発明の実施例によれば、操作部６の回転により操作される回転検出ユニットＫと、この回転検出ユニットＫに装着される照光ユニットＳとを備え、照光ユニットＳは、一対の固定接点８が設けられたハウジング７と、固定接点８と摺接する一対の可動接点１１を有しハウジング７に対して回転可能に保持された回転体１０と、可動接点１１に一対の端子１３ｃが導通される発光ダイオードからなる照光部材１３が保持され回転体１０に設けられたホルダ部を有し、照光部材１３が回転体１０と共に回転するように構成されており、回転体１０には、照光部材１３を保持するホルダ部を回転体１０と同一材料で一体に形成するようにしたので、回転体１０にホルダを取る付けるための圧入部や抱持部を設ける必要がなく、取り付け部を含めた外形を小型化できると共に、部品点数の削減、コストの低減を図ることができるものとなっている。
【００５２】
また、ホルダ部は、照光部材１３の端子１３ｃが挿通される孔１０ｄを有し回転体１０の上面側に突出した台座部１０ｂと、この台座部１０ｂ上に一体に設けられた素子保持部１０ｃで形成し、この素子保持部１０ｃを回転体１０の周方向に孔１０ｄを挟んで対向して一対設け、周方向と直交する両面側を開口状として回転体１０の周方向においてのみ照光部材１３を保持（ガイド）するようにしたので、周方向と直交する両面側には照光部材１３を保持（ガイド）する肉厚となる保持部を設ける必要がなく、その分、さらに小型化が可能となっている。
【図面の簡単な説明】
【００５３】
【図１】操作部材を取りつけた状態における本発明の照光付回転型電気部品を示す斜視図である。
【図２】本発明の照光付回転型電気部品の照光部材の取付状態を示す断面図である。
【図３】本発明の照光付回転型電気部品の操作部材の取付状態を示す断面図である。
【図４】本発明の照光付回転型電気部品の操作部材を取り去った状態を示す斜視図である。
【図５】本発明の照光付回転型電気部品の照光ユニットを示す分解斜視図である。
【図６】本発明の照光付回転型電気部品の照光ユニットを上方から見た状態を示す斜視図である。
【図７】本発明の照光付回転型電気部品のハウジングと取付部材を取り去った状態で照光ユニットを下方から見た状態を示す斜視図である。
【図８】従来の照光付回転型電気部品の操作部材を取り去った状態を示す斜視図である。
【図９】従来の照光付回転型電気部品の照光ユニットを示す分解斜視図である。
【符号の説明】
【００５４】
１：ケース
２：下ケース
２ａ：筒状部
２ｂ：底壁
２ｃ：側壁
３：上ケース
３ａ：孔
３ｂ：上壁
３ｃ：側壁
３ｄ：凸部
３ｅ：係止部
４：固定接点
４ａ：接点部
４ｂ：引出端子
５：回転板
６：操作部
６ａ：係合爪部
６ｂ：取付爪部
６ｃ：突起
Ｋ：回転検出ユニット
７：ハウジング
７ａ：挿通孔
７ｂ：基体
７ｃ：凹部
７ｄ：ストッパー部
７ｅ：収納部
８：固定接点
９：引出端子
１０：回転体
１０ａ：段差部
１０ｂ：台座部（ホルダ部）
１０ｃ：素子保持部（ホルダ部）
１０ｄ：孔（ホルダ部）
１０ｅ：ストッパー部
１１：可動接点
１１ａ：接片部
１３：照光部材（発光ダイオード）
１３ａ：基部
１３ｂ：発光部
１３ｃ：端子
１４：取付部材
１４ａ：押さえ部
１４ｂ：第１の取付脚
１４ｃ：第２の取付脚
Ｓ：照光ユニット
１５：操作部材
１５ａ：孔
１５ｂ：摘み部
１５ｃ：脚部
１５ｄ：係止部
１５ｅ：係合部
【図１】
2006310156.tif 000003
【図２】
2006310156.tif 000004
【図３】
2006310156.tif 000005
【図４】
2006310156.tif 000006
【図５】
2006310156.tif 000007
【図６】
2006310156.tif 000008
【図７】
2006310156.tif 000009
【図８】
2006310156.tif 000010
【図９】
2006310156.tif 000011